(57)【特許請求の範囲】
【請求項１】
聴診棒本体の一方の端部である当接先端部を点検対象物の所定部位に当接させて、他方の端部を巡視者の耳に当てることで点検対象物の異音の有無を点検するように用いる聴診棒であって、
当接先端部を覆い当接先端部に比べて大きな面積で点検対象物に当接させることができるとともに、粘着力によって点検対象物に当接可能な摩擦部材と、聴診棒本体の当接先端部を摩擦部材の内側に入る方向に付勢するばねとを備え、
摩擦部材を点検対象物の表面に当接させた状態で、ばねの弾性に抗して聴診棒本体を点検対象物の表面に対して傾斜する方向に押圧することで、摩擦部材における点検対象物との接触部分を点検対象物の表面形状に倣うよう弾性変形させるとともに、当接先端部を摩擦部材から突出させて点検対象物に当接させることを特徴とする聴診棒。
【請求項２】
摩擦部材は球体であり、聴診棒本体の当接先端部が摩擦部材の略中心に挿通されている請求項１に記載の聴診棒。
【請求項３】
摩擦部材はシリコン製であり、摩擦部材は、聴診棒本体の当接先端部およびその近傍を挿通するために内蔵させた筒部を備え、筒部はその外側に比べて硬質である請求項１または請求項２に記載の聴診棒。
【発明の詳細な説明】
【技術分野】
【０００１】
本発明は、発電所や工場施設内の設備や機械の巡回点検の際に、これら点検対象物の異音の有無を聴診する聴診棒に関する。
【背景技術】
【０００２】
聴診棒は、設備や機械等の点検対象物のトラブルを未然に防止するために、点検対象物を定期的に巡視点検する際に用いられる。聴診棒は、一方の端部である当接先端部を点検対象物の所定部位に当接させて、他方の端部を巡視者の耳に当てることで異音の有無を点検するように用い、異音捕捉をすればその原因を修復することになる。
【０００３】
この種の聴診棒として、下記特許文献１の技術が提案されている。特許文献１の聴診棒では、当接先端部を面取りしたり、磁化させたり、あるいは粗面加工させたりすることで、点検対象物の所定部位に聴診棒の当接先端部を当接させた際に、当接先端部を点検対象物に対して滑りにくくさせている。
【先行技術文献】
【特許文献】
【０００４】
【特許文献１】特開２００６−３８７３５号公報
【発明の概要】
【発明が解決しようとする課題】
【０００５】
上記特許文献１の聴診棒のように、聴診棒そのものの当接先端部を加工させているが、それだけであると点検対象物の所定部位から聴診棒が外れることが少なからず発生する。そうなると、点検対象物の異音捕捉ができない。
【０００６】
そこで本発明は、点検対象物の所定部位に当接先端部を確実に滑らないようにさせることで、点検対象物の異音捕捉性を向上させられる聴診棒の提供を課題とする。
【課題を解決するための手段】
【０００７】
本発明は、聴診棒本体の一方の端部である当接先端部を点検対象物の所定部位に当接させて、他方の端部を巡視者の耳に当てることで点検対象物の異音の有無を点検するように用いる聴診棒であって、当接先端部を覆い当接先端部に比べて大きな面積で点検対象物に当接させることができるとともに、粘着力によって点検対象物に当接可能な摩擦部材と、聴診棒本体の当接先端部を摩擦部材の内側に入る方向に付勢するばねとを備え、摩擦部材を点検対象物の表面に当接させた状態で、ばねの弾性に抗して聴診棒本体を点検対象物の表面に対して傾斜する方向に押圧することで、摩擦部材における点検対象物との接触部分を点検対象物の表面形状に倣うよう弾性変形させるとともに、当接先端部を摩擦部材から突出させて点検対象物に当接させることを特徴としている。
【０００８】
上記構成において、当接先端部を覆うようにした摩擦部材を点検対象物に当接させて当接先端部を摩擦部材の外側に突出させ、当接先端部を点検対象物の所定部位に当接させると、点検対象物に接触する摩擦部材により点検対象物の所定部位から滑りにくく、したがって摩擦部材から突出した当接先端部が、点検対象物の所定部位から滑りにくい。また、上記構成において、摩擦部材を点検対象物に当接させ、ばねの弾性に抗して当接先端部を摩擦部材の外側に突出させ、当接先端部を点検対象物の所定部位に当接させると、摩擦部材はその摩擦力により点検対象物の所定部位から滑らないから、当接先端部も点検対象物の所定部位から滑らない。
【００１１】
本発明の聴診棒では、摩擦部材は球体であり、聴診棒本体の当接先端部が摩擦部材の略中心に挿通されている構成を採用できる。
【００１２】
上記構成のように、摩擦部材が球体であれば、球体の球面を利用して聴診棒本体の傾斜角度を調整することで、検査対象物の所定部位に聴診棒本体の当接先端部を容易に当接させられる。
【００１３】
本発明の聴診棒では、摩擦部材はシリコン製であり、摩擦部材は、聴診棒本体の当接先端部およびその近傍を挿通するために内蔵させた筒部を備え、筒部はその外側に比べて硬質である構成を採用できる。
【００１４】
上記構成によれば、聴診棒の当接先端部が摩擦部材に対して出退する際に、摩擦部材が変形しても、外側のシリコンに比べて硬質の筒部により、ばねの伸縮変形が円滑に行われ、摩擦部材に対する当接先端部の出退が円滑に行われる。
【発明の効果】
【００１５】
本発明の聴診棒によれば、当接先端部を覆うようにした摩擦部材を点検対象物に当接させて当接先端部を摩擦部材の外側に突出させ、当接先端部を点検対象物の所定部位に当接させると、当接先端部よりも大きな面積で点検対象物に接触する摩擦部材は、その摩擦力により点検対象物の所定部位から滑りにくく、したがって摩擦部材から突出した当接先端部が、点検対象物の所定部位から確実に滑らないようにすることができ、聴診棒の当接先端部の位置を保持できるという、優れた効果を奏し得る。
【図面の簡単な説明】
【００１６】
【図１】図１は、本発明の一実施形態に係る聴診棒を表し、聴診棒の当接先端部が摩擦部材から外側に突出した状態の要部拡大断面図である。
【図２】図２は、同聴診棒の当接先端部が摩擦部材の内側に収容された状態の要部拡大断面図である。
【図３】図３は、同使用状態を表す断面図である。
【発明を実施するための形態】
【００１７】
以下、本発明に係る聴診棒の一実施形態を、図１ないし図３を参照して説明する。本実施形態に係る聴診棒１は、長尺の聴診棒本体２と、弾性変形可能な摩擦部材３とを備えている。この摩擦部材３の少なくとも表面は粘着性を備えている。聴診棒本体２は、一方の端部を点検対象物Ｋへ当接させる当接先端部２ａとし、他方の端部を巡視者の耳に当てる耳当部２ｂとしている。聴診棒１は、聴診棒本体２の当接先端部２ａを、発電所や工場施設内の設備や機械の所定部位に当接させ、耳当部２ｂを巡視者の耳に当てることで、異音の有無を点検するように用いられるものであり、当接先端部２ａ側に、摩擦部材３内に移動可能に収容される鍔部２０を備えている。鍔部２０は聴診棒本体２に比べて大径に形成されている。
【００１８】
摩擦部材３は、当接先端部２ａおよびその近傍、すなわち、聴診棒本体２の先端側近傍を覆うものであって、点検対象物Ｋに外面を当接させるよう用いる部材である。この場合、摩擦部材３は球状に形成されており、外側の摩擦部材本体３０と、摩擦部材本体３０の中心に、径方向に沿うよう貫通した補助筒体３１（筒部に相当する）とを備えている。摩擦部材本体３０はシリコンエラストマーで形成されていることで、その表面に粘着性（タック性とも称される）を有する。補助筒体３１は硬質（すくなくとも摩擦部材本体３０に比べて硬質）の合成樹脂から形成されている。補助筒体３１は、摩擦部材本体３０の直径と略同一の長さに形成されている。
【００１９】
補助筒体３１は補助筒体本体３２と、長手方向一方側の一方側挿通部３４と、長手方向他方側の他方側挿通部３５と、ばね４とを備えている。補助筒体本体３２は、摩擦部材本体３０とは別体であり、摩擦部材本体３０の中心孔に挿通するよう挿通（内蔵）されている。補助筒体本体３２と一方側挿通部３４とは一体的に形成されており、他方側挿通部３５と補助筒体本体３２とは別体に形成されている。なお、他方側挿通部３５は、聴診棒本体２の当接先端部２ａおよびその近傍を補助筒体３１に挿入した後に、補助筒体３１の他方側開放部に蓋をするようにして補助筒体３１に固定される。
【００２０】
一方側挿通部３４の中心には、聴診棒本体２の当接先端部２ａが挿通可能な一方側孔部３４ａが形成されている。他方側挿通部３５の中心には、聴診棒本体２の、当接先端部２ａ側の途中部分（当接先端部２ａの近傍部分）が挿通可能な他方側孔部３５ａが形成されている。一方側挿通部３４および他方側挿通部３５は、それぞれ一方側孔部３４ａ、他方側孔部３５ａが形成されていることにより環状に形成されている。他方側挿通部３５は、半割体を組合せることで形成されている。なお、一方側孔部３４ａ、および他方側孔部３５ａの径は、聴診棒本体２の径に比べてわずかに大きく設定されている。一方側挿通部３４の表面３４ｂ、および他方側挿通部３５の表面３５ｂはともに球体に沿う曲面に形成されている。
【００２１】
ばね４は、一方側挿通部３４の底面３４ｃを一方側のばね座とし、鍔部２０の一方側環状面２０ａを他方側のばね座として、補助筒体３１内に配置された圧縮コイルばねである。すなわち、ばね４は、聴診棒本体２の当接先端部２ａを、摩擦部材本体３０の内側に入る方向に付勢するものである。聴診棒本体２の当接先端部２ａを、摩擦部材本体３０の外側に突出させるには、摩擦部材３を固定した状態において、聴診棒本体２をばね４の弾性に抗して摩擦部材３の径方向に押圧することで可能となる。すなわち、当接先端部２ａは、摩擦部材３に対して出退可能とされている。
【００２２】
上記構成の聴診棒１の使用方法を説明する。聴診棒１は、その非使用時には、ばね４の弾性により、図２に示すように、当接先端部２ａは、摩擦部材３に対して内側に収納されている。このとき、一例として鍔部２０はばね４に押圧されて他方側挿通部３５の内側に当接している。
【００２３】
このような状態にある聴診棒１を、設備や機械等の点検対象物のトラブルを未然に防止するために、点検者は、点検対象物Ｋを定期的に巡視点検する。点検者は、点検対象物Ｋの表面に、摩擦部材３を当接させる。この場合、聴診棒本体２が点検対象物Ｋの表面に傾斜するように摩擦部材３を当接させることで、摩擦部材本体３０が球体であっても、摩擦部材本体３０における点検対象物Ｋとの接触部分が、点検対象物Ｋの表面形状に倣うように弾性変形して、当接先端部２ａよりも大きな面積で面接触し、摩擦部材本体３０の表面粘着力により、摩擦部材３が点検対象物Ｋに対して滑らなくなる。
【００２４】
このようにして摩擦部材３を点検対象物Ｋに対して安定させた状態で、聴診棒本体２をばね４の弾性に抗して点検対象物Ｋ側に向けて押圧する。ばね４は、一方側挿通部３４の底面３４ｃを一方側のばね座とし、鍔部２０の一方側環状面２０ａを他方側のばね座として縮む。このとき、補助筒体本体３２はその硬度により（摩擦部材本体３０よりも硬質）、ばね４は円滑に縮むことができる。
【００２５】
ばね４が縮むと、補助筒体３１に収容されていた当接先端部２ａが、補助筒体３１からその外側に突出して、点検対象物Ｋの表面に当接する。当接先端部２ａが尖っておりこれが点検対象物Ｋの表面に当接しても、摩擦部材本体３０（摩擦部材３）が点検対象物Ｋに対して滑らないから、当接先端部２ａが点検対象物Ｋの表面から滑らず、当接先端部２ａを点検対象物Ｋの所定部位に対して安定させられる。したがって、聴診棒本体２の他方の端部である耳当部２ｂを巡視者の耳に当てることで、点検対象物Ｋの異音捕捉性を向上させられる。
【００２６】
本発明は、上記実施形態に限定されるものではない。例えば上記実施形態では、補助筒体３１は、摩擦部材本体３０と別体に形成した。しかしながら、摩擦部材本体３０を硬化させて補助筒体３１を形成することで、補助筒体３１を摩擦部材本体３０に一体的に形成することも可能である。
【００２７】
上記実施形態では、摩擦部材本体３０をシリコンエラストマー製としたが、粘着性付与剤を混合させた樹脂組成物で、弾性変形可能なものであれば、特に材料は限定されるものではない。
【００２８】
上記実施形態では、摩擦部材本体３０は球状に形成したが、例えばキューブ形状等も考えられ、点検対象物Ｋの表面に当接させた際に弾性変形して滑り止めとなるものであれば、特に形状は問わない。
【符号の説明】
【００２９】
１…聴診棒、２…聴診棒本体、２ａ…当接先端部、２ｂ…耳頭部、３…摩擦部材、４…ばね、３０…摩擦部材本体、３１…補助筒体、３２…補助筒体本体、Ｋ…点検対象物
【図１】
0005996599.tif 000002
【図２】
0005996599.tif 000003
【図３】
0005996599.tif 000004